(57)【特許請求の範囲】
【請求項１】
スピーカユニットを収納・固定する筐体と、前記筐体の前面にスピーカ振動板と、前記筐体の背面の一部にバスレフ開口部とを持つスピーカシステムにおいて、前記スピーカ振動板の前と背面のバスレフ開口部の背後に、それぞれ音響反射板を備えた左右のスピーカシステムを、聴取者を取り囲むように対称に配置し、前記の各音響反射板からの音響を前記聴取者に向けて、集中的に放射させることを特徴とするステレオスピーカシステム。
【請求項２】
請求項１のステレオスピーカシステムにおいて、左右のスピーカ振動板前面の音響反射板を省略し、各筐体のスピーカ取り付け面を、左右のスピーカの間に位置する聴取者に正対する面としたステレオスピーカシステム。
【発明の詳細な説明】
【技術分野】
【０００１】  この発明は音楽等を再生するステレオスピーカシステムに関する。
【背景技術】
【０００２】  従来のステレオシステムにおいて、音の響きや臨場感を改善するために、スピーカの個数を追加したマルチチャンネル方式が知られている。  また、スピーカの音響特性とエネルギー効率の改善のための方策として、筐体にダクトと称する細長い管を取り付け、この開口部から音を放射させるバスレフ形スピーカが知られているが、一般には、このダクト開口部はスピーカと並べて筐体の前面に配置されることが多い。
【先行技術文献】
【特許文献】
【０００３】
【特許文献１】特開２００８−１７１９４号公報
【非特許文献】
【０００４】
【非特許文献１】小泉宣夫著  「基礎  音響・オーディオ学」  コロナ社  ２００５年
【発明の概要】
【発明が解決しようとする課題】
【０００５】  従来のマルチチャンネル方式では、新たなスピーカばかりでなく、これの駆動系まで追加を必要とするので、その費用と所要エネルギーの両方の増大を招くという問題を発生させる。また、スピーカの追加により、システムも大規模になり、エネルギー消費の増大に加えて、製作費用も増大するという欠点を持っている。また、この大規模化は音響場の広がりに繋がるために、室内周囲の建具や壁による音の反射を考慮して、室内全体にわたり構造や材質まで対策を行う必要があるなど、システムの設置性にも問題があった。さらに、この大音響化によって周囲に音が漏れて、周囲環境に悪影響を及ぼす危険性があった。また、バスレフ形スピーカは、音質やエネルギー消費に一定の改善は見られるものの、音響発生の場所としては、一般にバスレフ開口部はスピーカと同一面にあり、音源数の増加までには至らない。
【課題を解決するための手段】
【０００６】  ステレオスピーカシステムにおいて、それぞれのスピーカの筐体に設けたバスレフ開口部４ａ，４ｂからの放射音を聴取者６に向けて反射するように外部音響反射板５ａ，５ｂを配置すること、及びスピーカ前面にも放射音を聴取者６に向け反射するように音響反射板８ａ，８ｂを配置することによって、音源を聴取者を取り囲むように四箇所に増加させ、かつ、音の放射を聴取者６に集中させて、聴取者へのエネルギー効率を向上させると共に、周囲への音の拡散を防ぐことによって、室内周囲の設備や壁等との音の反射・干渉を抑えた良質の音響と音漏れの少ない環境を得る。
【発明の効果】
【０００７】  本発明のシステムで活用するバスレフ形スピーカは、各スピーカ振動板１ａ，１ｂの背面の音を、筐体２ａ，２ｂに開けたバスレフ開口部４ａ，４ｂから、位相を反転させて取り出すので、スピーカ振動板１ａ，１ｂの前面の音と同位相となって放射されて、エネルギー効率の向上と低音の放射効率が増強される。  また、本システムでは、スピーカ振動板１ａ，１ｂの背面の音が筐体２ａ，２ｂの後部のバスレフ開口部４ａ，４ｂから放射され、その後ろに配置された外部音響反射板５ａ，５ｂで反射されて聴取者６に向かって放射される。またスピーカ振動板１ａ，１ｂの前面から発生する音は前面の音響反射板８ａ，８ｂで反射されて聴取者６に向けて放射されるので、左右二つのスピーカの振動音が、それぞれ前面音響反射板８ａ，８ｂと外部音響反射板５ａ，５ｂの合計四箇所から、聴取者６に向かって放射されることになる。従って、本発明のシステムによれば、左右のそれぞれ二つのスピーカの前後の合計四つの外部音響反射板５ａ，５ｂ及び８ａ，８ｂに取り囲まれた聴取者６に対し周囲から集中的に音響を放射する配置となり、聴取者６への音響エネルギーの集中による省電力化と、外部への音の拡散の抑制により、周囲設備等との音の干渉と音漏れの少ないステレオスピーカシステムが得られる。
【図面の簡単な説明】
【０００８】
【図１】聴取者６の左右に配置されたスピーカ筐体２ａ，２ｂの背面のバスレフ開口部４ａ，４ｂからの発射音を、背後の音響反射板５ａ，５ｂで反射して聴取者６に向けて放射し、同様に、スピーカ前面からの発射音を、スピーカ筐体２ａ，２ｂの前面に配置された前面音響反射板８ａ、８ｂによって反射し、聴取者６に向けて放射することを特徴とする、請求項１のステレオスピーカシステムの平面配置図。
【図２】ステレオスピーカ振動板１ｃの取り付け面を聴取者に正対する筐体側面とした、請求項２の右側スピーカ筐体の斜視図。
【発明を実施するための形態】
【０００９】  本発明の実施例を図面に基づいて説明する。
【実施例１】
【００１０】図１の平面図において、スピーカユニットを収納・固定する筐体２ａ，２ｂと、前記各筐体の背面の一部にバスレフ開口部４ａ，４ｂを持ち、かつ各筐体の前面にスピーカ振動板１ａ，１ｂとを持つステレオスピーカにシステムにおいて、前記の背面のバスレフ開口部４ａ，４ｂの背後と前記スピーカ振動板１ａ，１ｂの前面とに、それぞれ音響反射板５ａ，５ｂと８ａ，８ｂを配置した各スピーカシステムを、略中央に位置する聴取者６の左右に対称に配置し、前記の合計４個の音響反射板からの音響を、聴取者６に向けて集中的に放射させることによって、聴取者６は極めて高いエネルギー効率でシステムからの音響を受け取ることが出来る。このため、システムに必要なエネルギーが小さくなり、スピーカの駆動回路や電源に余裕が出来て、高音質化を図ることが容易になる他、スピーカや筐体等の機械的振動系統への負担が少なく、発生音のひずみを小さくすることが出来る。また、振動の大振幅化のために必要とされる材料、機構への要求も緩和される。また、バスレフ開口部４ａ，４ｂからの反射音は、低音部の効率が増強されるので、本システムは小型であっても、低音まで高い音響再生能力を持たせることができる。また、本システムは、聴取者６を取り囲むスピーカの４枚の音響反射板からの音響が、聴取者６に向かって集中的に放射されるので、外部への音漏れが小さい特徴を持つ。このために、周囲の室内の設備等による反射音が小さく、これによる音響の干渉による音質の低下を防ぐことが出来る他、音漏れによる周囲環境の悪化も防止されるという特徴を持つ。  また、この四音源の中心に位置する聴取者６の、システム全体に対する方向は、ステレオスピーカの正面に相対する方向と、これとは反対に、聴取者６の向きがステレオスピーカの正面と同方向、との両方が可能であり、室内環境等によって最適な方向を選ぶことが出来る。
【実施例２】
【００１１】図２に本発明の他の実施例を示す。図１における、実施例１の右側のスピーカ振動板１ａの取り付け面を、図２に示すように、バスレフ開口の対向面から聴取者６に正対する側面に移し、横方向スピーカ１ｃとして配置することによって、スピーカ前面の音響を左右のスピーカの間に位置する聴取者６に向けて直接放射させることができる。左側スピーカについても左右を入れ換えれば同様に聴取者６に直接放射出来る構成となる。この構造によれば、前面の音響反射板８ａ，８ｂが無い場合でも、左右のスピーカからの音響は直接に聴取省６に到達し、かつ筐体の前方への音響も抑制されるので、実施例１のように前面の音響反射板を配置した場合と同様に、四箇所からのスピーカ発射音の聴取者６への集中によるエネルギー効率の向上と、外部との音の干渉あるいは外部への音漏れの悪影響を低下させることができる。  なお、以上の本文や図面において、スピーカ振動板の位置を明示するために省略しているが、一般のスピーカシステムに採用されるような、スピーカ振動板の防護あるいは音質・音量の調整等のために、サランなどのネットを筐体のスピーカ前面に装着することも可能である。
【符号の説明】
【００１２】１ａ  システム右側スピーカ振動板１ｂ  システム左側スピーカ振動板１ｃ  システム右側スピーカ筐体の聴取者側の面に配置したスピーカ振動板２ａ  システム右側スピーカ筐体２ｂ  システム左側スピーカ筐体４ａ  システム右側スピーカのバスレフ開口部４ｂ  システム左側スピーカのバスレフ開口部５ａ  システム右側スピーカのバスレフ開口部の外部音響反射板５ｂ  システム左側スピーカのバスレフ開口部の外部音響反射板６    聴取者８ａ  システム右側スピーカの前面音響反射板８ｂ  システム左側スピーカの前面音響反射板
【図１】
0005182683.tif 000002
【図２】
0005182683.tif 000003